(57)【特許請求の範囲】
【請求項１】
鍋と、
前記鍋を収容する炊飯器本体と、
前記鍋を加熱する加熱部と、
前記加熱部を制御する加熱制御部と、
外部から空気を吸い込むための吸気部と、
前記加熱制御部を含む前記炊飯器本体内を送風で冷却する冷却部と、
前記炊飯器本体の底体に形成されて前記冷却部の送風で前記炊飯器本体内の熱を奪うことで温められた温風を外部に排出する排気部と、を備え、
前記排気部が、前記底体の底壁を貫通するように形成された底壁開口と、前記底壁開口から排出される温風が、前記底壁開口の周囲に位置する前記底壁の下面に沿って流れるように、前記底壁の前記下面に形成される導風部と、前記底壁開口の周囲に位置する前記底壁と導風部との隙間に形成される隙間開口とを有し、
前記導風部は、前記底壁開口の周囲に位置するとともに前記底壁から下方に延びる連結部と、前記連結部から、前記底壁開口の周囲に位置する前記底壁に対して平行に延在する板状部とを備え、
前記底壁開口の開口面積が、前記隙間開口の開口面積よりも大きい、炊飯器。
【請求項２】
前記排気部が、複数の前記底壁開口によって構成され、当該複数の底壁開口が、前記底壁の辺部に沿って配設される、請求項１に記載の炊飯器。
【請求項３】
前記吸気部が前記炊飯器本体の後方に配置され、前記排気部が前記底体の前方及び側方の少なくとも一方に配置されている、請求項１又は２に記載の炊飯器。
【請求項４】
電源コードのプラグを保持するリブが、前記吸気部の近傍に設けられている、請求項１乃至３のいずれか１項に記載の炊飯器。
【発明の詳細な説明】
【技術分野】
【０００１】
本発明は、底面に排気部を有する炊飯器に関する。
【背景技術】
【０００２】
炊飯器では、被調理物を収容した鍋を加熱部で加熱するときに、鍋だけでなく炊飯器本体内も加熱され、また、加熱部を電気的に制御する加熱制御部が発熱するため、ファン等の冷却手段によって加熱制御部を含む炊飯器本体内を冷却することが行われている。ファン等からの冷却風は、加熱制御部を含む炊飯器本体内から熱を奪い、冷却風が温められて温風になる。例えば、特許文献１の保温釜では、冷却後の温風は、炊飯器本体内を流れたあと、炊飯器本体の外枠の底部もしくは側部に設けられた複数の開口（排気部）を通じて排出される。
【先行技術文献】
【特許文献】
【０００３】
【特許文献１】特開２００３−３１０４２６号公報
【発明の概要】
【発明が解決しようとする課題】
【０００４】
特許文献１の排気部（排気構造）は、温風が流れる方向を除いて各開口の周囲に立設された少なくとも１つの垂直壁部と、垂直壁部の上端部に形成されて開口に対向配置される水平壁部と、を有する。排気部の近傍を流れる温風は、垂直壁部に当たってその風向が様々に変化する。例えば、垂直壁部に当たった風の一部が、開口に向けて下向きに流れたり、水平壁部の下面に当たったあと開口に向けて下向きに流れたりする。いずれの場合でも、垂直壁部及び水平壁部に当たった温風は、開口に向けて下向きに流れる。したがって、排気部の近傍を流れる温風は、下向きの風向に変えたあと、開口を通じて、炊飯器本体の外に排出される。
【０００５】
開口を通じて、炊飯器本体の外に排出された温風は、下向きの風向を保ちながら、炊飯器が載置される載置台に直接的に（すなわち、載置台に対して垂直方向に）吹き付けられる。温風が載置台に直接的に吹き付けられることが、長時間継続すると、載置台が高温になる。テーブルクロスやテーブルカバーと呼ばれる装飾保護部材が、載置台の上に置かれた状態で温風に長時間曝されると、装飾保護部材の熱変色や熱変形を引き起こすおそれもあり、載置台が高温になることは好ましくない。
【０００６】
したがって、本発明の解決すべき技術的課題は、炊飯器において、加熱制御部を含む炊飯器本体内を冷却して底体の開口から排出される温風により、載置台が高温になることを防ぐことである。
【課題を解決するための手段】
【０００７】
上記技術的課題を解決するために、本発明によれば、以下の炊飯器が提供される。
【０００８】
すなわち、本発明に係る炊飯器は、鍋と、前記鍋を収容する炊飯器本体と、前記鍋を加熱する加熱部と、前記加熱部を制御する加熱制御部と、外部から空気を吸い込むための吸気部と、前記加熱制御部を含む前記炊飯器本体内を送風で冷却する冷却部と、前記炊飯器本体の底体に形成されて前記冷却部の送風で前記炊飯器本体内の熱を奪うことで温められた温風を外部に排出する排気部と、を備え、前記排気部が、前記底体の底壁を貫通するように形成された底壁開口と、前記底壁開口から排出される温風が、前記底壁開口の周囲に位置する前記底壁に沿って流れるように前記温風を導く導風部と、前記底壁開口の周囲に位置する前記底壁と導風部との隙間に形成される隙間開口とを有することを特徴とする。
【０００９】
本発明では、冷却部からの冷却風が加熱制御部を含む炊飯器本体内から熱を奪って冷却風が温められて温風になり、温風が、排気部を通じて外部に排出される際に、導風部によって、温風が底体の底壁に沿って流れる。そのため、温風が、炊飯器の載置台に直接的に吹き付けられることが防止される。したがって、底体の開口から排出される温風によって、載置台が高温になることが防止される。
【００１０】
前記導風部が、前記底壁開口に対して対向配置されるとともに、前記底壁開口の周囲に位置する前記底壁に対して、平行に延在するか又は斜め下向きに延在することが好ましい。このようにすれば、温風が載置台に直接的に吹き付けられない構成を、簡易に実現することができる。
【００１１】
吸気部が前記炊飯器本体の後方に配置され、前記排気部が前記底体の前方及び側方の少なくとも一方に配置されていることが好ましい。このようにすれば、温風が前方及び側方の少なくともから排出されて、炊飯器の排熱性を向上させることができる。
【００１２】
電源コードのプラグを保持するリブが、前記吸気部の近傍に設けられていることが好ましい。このようにすれば、電源コードのプラグが、リブと係合した状態で保持されるので、電源コードのプラグが炊飯器本体から突出することが防止され、電源コードの収納性が向上する。
【発明の効果】
【００１３】
本発明の炊飯器では、導風部によって、温風が底体の底壁に沿って流れるため、温風が、炊飯器の載置台に直接的に吹き付けられることが防止され、温風によって、載置台が高温になることが防止される。
【図面の簡単な説明】
【００１４】
【図１】本発明の一実施形態に係る炊飯器の斜視図。
【図２】図１に示した炊飯器における底体の平面図。
【図３】図２に示した底体の斜視図。
【図４】底体を底面側から見た斜視図。
【図５】図２のＶ−Ｖ断面図。
【図６】図２のＶＩ−ＶＩ断面図。
【図７】図２のＶＩＩ−ＶＩＩ断面図。
【図８】第１変形例を説明する図。
【図９】第２変形例を説明する図。
【図１０】第３変形例を説明する図。
【発明を実施するための形態】
【００１５】
以下に、一実施形態に係る炊飯器１について、図１乃至７を参照しながら詳細に説明する。
【００１６】
図１に示すように、炊飯器１は、鍋（不図示）と、鍋を着脱可能に収容する炊飯器本体１０と、該炊飯器本体１０に対して開閉可能にヒンジ接続された蓋体１１と、を備えている。炊飯器本体１０は、上端及び下端を開口した筒状をなす胴体１２と、胴体１２の下端開口を閉塞する底体２２と、を有する外装体を備えている。炊飯器本体１０の内部には、調理物である飯米と水とがセットされた鍋を加熱するための加熱部（電熱ヒータ又はＩＨコイル）が配設されている。蓋体１１の上パネル１４の前方側には、炊飯条件の設定操作、及び、動作状態や設定内容の表示を行うための操作パネル部（表示部及びスイッチ）１９が配設されている。上パネル１４の前方側には、炊飯器本体１０とのロックを解除して蓋体１１を開放するための開放操作部材１６が配設されている。上パネル１４の後方側には、炊飯中に鍋の内部で発生した蒸気を排出するための蒸気排出口１７が配設されている。そして、全体が逆Ｕ字形状をなすハンドル３０が、胴体１２の上部の両側面に対して回動自在に構成されている。
【００１７】
図２は炊飯器１における底体２２の平面図であり、図３は図２に示した底体２２の斜視図であり、図４は底体２２を底面側から見た斜視図である。
【００１８】
図２及び４を参照しながら、底体２２の底面側の構成を説明する。底体２２には、前方側及び左右の側方には排気部４０がそれぞれ設けられるとともに、後方側には吸気部４２が設けられている。外部から空気を吸い込むための吸気部４２は、底壁４１を貫通する多数の吸気口から構成されている。外部の空気が、吸気部４２を通じて、炊飯器本体１０内に流入する。前方側及び左右の側方に形成された排気部４０は、底壁４１を貫通する多数の底壁開口４３，４４と、底壁開口４３，４４を覆うように底面側に配設された板状の導風部５０，５１とを備える。底体２２の底壁４１の下面には、下方に突出する複数の脚部４６が設けられている。底体２２の後方側には、電源に接続される電源コード（不図示）を取り出すためのコード取出口５７が設けられている。吸気部４２の近傍には、一対のリブ６０，６１が離間して配設されている。電源コードのプラグが、一対のリブ６０，６１の間に形成された隙間において係合状態で保持される。
【００１９】
図３を参照しながら、底体２２を上面側の構成と、底体２２の上面側における風の流れとを説明する。底体２２の底壁４１の上面には、上方に突出するネジ止め用のボス５９が複数個設けられており、各ボス５９は、図示しない保護枠のブラケット部に対応する。保護枠と胴体１２との間において、後方側に位置する空間には、加熱部を電気的に制御する加熱制御部として働く制御基板（不図示）が、基板ホルダ（不図示）を介して配設される。加熱部は、例えば、誘導加熱タイプのものであり、その場合、誘導加熱コイル及びフェライトコアを備える。
【００２０】
基板ホルダと吸気部４２との間には、制御基板に送風して制御基板を冷却する冷却部として働くファンが配設されている。ファンによる冷却風は、制御基板に送風することで、制御基板を冷却する。ファンの冷却風は、制御基板から熱を奪うことで、温められて温風になる。温風は、さらに、保護枠と底体２２との間を通過する際に、その空間に位置する加熱部（例えば、誘導加熱コイル）を冷却する。したがって、ファンによる冷却風が、制御基板（加熱制御部）を含む炊飯器本体１０内から熱を奪ってそれらを冷却する。保護枠と底体２２との間を通過した温風は、前方側及び左右の側方に配置された排気部４０を通じて排出される。なお、図３における矢印は、底体２２の上面側における冷却風及び温風の流れを例示している。
【００２１】
図５乃至７を参照しながら、排気部４０を詳細に説明する。図５は図２のＶ−Ｖ断面図であり、図６は図２のＶＩ−ＶＩ断面図であり、図７は図２のＶＩＩ−ＶＩＩ断面図である。
【００２２】
図５は、底体２２の前方側に形成された排気部４０を示し、排気部４０は、底壁４１を高さ方向に貫通する底壁開口４４を有する。底体２２の底壁４１に形成された底壁開口４４の周囲では、後方から前方に延びる板状の導風部５０が形成されている。導風部５０が、底壁開口４４に対して対向配置されている。図５に示した導風部５０は、底壁開口４４の後方周囲において底壁４１から下方に延びる連結部５３と、連結部５３から前方に延びる板状部５４とを備えてなる。
【００２３】
連結部５３は、底壁４１と板状部５４とを連結し、底壁開口４４の後方周囲を閉じている。それとともに、連結部５３は、図６に示すように、隣り合う排気空間７０を間仕切るように形成されており、排気空間７０の両側部分を閉じている。図５に示す導風部５０では、板状部５４が、底壁４１に対して略平行前方に延びている。板状部５４の前端部と、底壁開口４４の前方周囲に位置する底壁４１との間には、隙間開口４９が形成されている。
【００２４】
図５及び６に示した排気部４０において、底体２２の上面に沿って流れる温風は、各底壁開口４４を介して各排気空間７０に流入するが、排気空間７０の後方部分と両側部分とが閉じられているので、排気空間７０の前方側に流れる。このとき、底壁４１に対して略平行前方に延びる板状部５４によって、温風が、底壁４１に対して略平行前方に流れる。そして、温風は、隙間開口４９を通じて、底壁４１に対して略平行前方に流れながら、排出される。
【００２５】
したがって、温風が、図５及び６に示した排気部４０を通じて外部に排出される際に、排気部４０の導風部５０によって、温風が底体２２の底壁４１に沿って前方に流れる。そのため、温風が、炊飯器１の載置台に直接的に（すなわち、載置台に対して垂直方向に）吹き付けられることが防止される。したがって、底壁開口４４から排出される温風によって、載置台が高温になることが防止される。
【００２６】
図７は、底体２２の一方の側方に形成された排気部４０を示し、排気部４０は、底壁４１を高さ方向に貫通する底壁開口４３（図２に図示）を有する。底体２２の底壁４１に形成された底壁開口４３の中心側周囲では、中心側から外側に延びる板状の導風部５１が形成されている。導風部５１が、底壁開口４３に対して対向配置されている。図７に示した導風部５１は、底壁開口４３の中心側周囲において底壁４１から下方に延びる連結部５８と、連結部５８から外側に延びる板状部５６とを備えてなる。
【００２７】
連結部５８は、底壁４１と板状部５６とを連結し、底壁開口４３の中心側周囲を閉じている。それとともに、連結部５８は、図７に示すように、隣り合う排気空間７１を間仕切るように形成されており、排気空間７１の両側部分を閉じている。図７に示す導風部５１では、板状部５６が、底壁４１に対して略平行外方に延びている。板状部５６の外側端部と、底壁開口４３の側方周囲に位置する底壁４１との間には、隙間開口５２が形成されている。
【００２８】
図７に示した排気部４０において、底体２２の上面に沿って流れる温風は、各底壁開口４３を介して各排気空間７１に流入するが、排気空間７１の中心側部分と両側部分とが閉じられているので、温風は排気空間７１の外側に流れる。このとき、底壁４１に対して略平行外方に延びる板状部５６によって、温風が、底壁４１に対して略平行前方に流れる。そして、温風は、隙間開口５２を通じて、底壁４１に対して略平行外方に流れながら、排出される。
【００２９】
したがって、温風が、図７に示した排気部４０を通じて外部に排出される際に、排気部４０の導風部５１によって、温風が底体２２の底壁４１に沿って外側に流れる。そのため、温風が、炊飯器１の載置台に直接的に吹き付けられることが防止される。したがって、底壁開口４３から排出される温風によって、載置台が高温になることが防止される。
【００３０】
また、図２に示す底体２２の他方の側方に形成された排気部４０は、図７に示す排気部４０と実質的に対称的に構成されているので、図７に示す排気部４０と同様の作用・効果を奏する。
【００３１】
図１乃至７に示した実施形態によれば、温風が、前方及び側方に設けられた排気部４０を通じて外部に排出されるので、炊飯器１の排熱性が優れている。そして、導風部５０，５１によって、温風が底体２２の底壁４１に沿って流れるため、温風が、炊飯器１の載置台に直接的に吹き付けられることが防止される。したがって、底壁開口４３，４４から排出される温風によって、載置台が高温になることが防止される。
【００３２】
次に、図８乃至１０を参照しながら、本発明の変形例を説明するが、上記実施形態の説明のときに用いた図５との相違点を中心に説明する。図８乃至１０は、それぞれ、第１変形例乃至第３変形例を説明する図である。
【００３３】
図８に示す第１変形例では、底壁開口４４の後方周囲に位置する底壁４１から前方に延びる板状部５４を備え、図５に示した連結部５３を備えていない。図８に示す導風部５０では、板状部５４が、底壁４１に対して斜め下向きに前方に延びている。板状部５４の前端部と、底壁開口４４の前方周囲に位置する底壁４１との間には、隙間開口４９が形成されている。
【００３４】
図８に示した第１変形例において、導風部５０によって、温風が斜め下向きの前方に流れるため、温風が、炊飯器１の載置台に直接的に吹き付けられることが防止される。したがって、底壁開口４４から排出される温風によって、載置台が高温になることが防止される。
【００３５】
図９に示す第２変形例では、底壁開口４４の後方周囲において底壁４１から上方に延びる連結部５３と、連結部５３から前方に延びる板状部５４とを備えてなる。図９に示す導風部５０では、板状部５４が、底壁４１に対して略平行前方に延びているが、底壁４１よりも上面側に設けられている。板状部５４の前端部と、底壁開口４４の前方周囲に位置する底壁４１との間には、隙間開口４９が、底壁４１よりも上面側に形成されている。
【００３６】
図９に示す第２変形例において、底体２２の上面に沿って後方から前方に向けて流れる温風は、排気部４０を一旦通り過ぎ、底体２２の前壁に当たってから、隙間開口４９を介して排気空間７０に流入する。このとき、底壁４１と略平行に延びる板状部５４によって、温風が、底壁４１に対して略平行後方に流れる。そして、温風は、底壁開口４４を通じて、底壁４１に対して略平行後方に流れながら、排出される。
【００３７】
図９に示した第２変形例において、導風部５０によって、温風が底壁４１と略平行に流れるため、温風が、炊飯器１の載置台に直接的に吹き付けられることが防止される。したがって、底壁開口４４から排出される温風によって、載置台が高温になることが防止される。
【００３８】
図１０に示す第３変形例では、底壁４１から前方に延びる板状部５４を備え、図５に示した連結部５３を備えていない。図１０に示す導風部５０では、板状部５４が、底壁４１に対して斜め上向きに前方に延びているが、底壁４１よりも上面側に設けられている。板状部５４の前端部と、底壁開口４４の前方周囲に位置する底壁４１との間には、隙間開口４９が、底壁４１よりも上面側に形成されている。
【００３９】
図１０に示す第３変形例において、底体２２の上面に沿って後方から前方に向けて流れる温風は、排気部４０を一旦通り過ぎ、底体２２の前壁に当たってから、隙間開口４９を介して排気空間７０に流入する。このとき、底壁４１に対して斜め下向き後方に延びる板状部５４によって、温風の流れる方向が、底壁４１に対して斜め下向き後方になる。そして、温風は、底壁開口４４を通じて、底壁４１に対して斜め下向き後方に流れながら、排出される。
【００４０】
図１０に示した第３変形例において、導風部５０によって、温風が斜め下向き後方に流れるため、温風が、炊飯器１の載置台に直接的に吹き付けられることが防止される。したがって、底壁開口４４から排出される温風によって、載置台が高温になることが防止される。
【００４１】
なお、上記第１変形例乃至第３変形例では、底体２２の前方に設けられる排気部４０について説明したが、図２，４，７に示す底体２２の側方に設けられる排気部４０にも適用可能であり、同様の作用・効果を奏する。したがって、排気部４０は、底体２２の前方及び側方の少なくとも一方に配置されている。
【００４２】
図８及び１０のそれぞれに示した第１変形例及び第３変形例では、導風部５０，５１の板状部５４が、底壁４１に対して平板状に傾斜した構成であるが、温風が載置台に直接的に（すなわち、載置台に対して垂直方向に）吹き付けられないような傾斜角度であればよい。板状部５４の底壁４１に対する傾斜角度は、例えば、１０度乃至４５度であり、好ましくは１５度乃至３５度である。また、導風部５０，５１の板状部５４は、上方に突出した湾曲形状又は下方に突出した湾曲形状であってもよい。さらに、上記実施形態及び上記第１変形例乃至第３変形例では、導風部５０，５１の板状部５４，５６が、いずれも、底壁開口４３，４４を完全に覆う態様であるが、底壁開口４３，４４を完全に覆っていなくて隙間開口４９，５２の側に間隙が形成された態様であってもよい。
【００４３】
本発明の理解を容易にするために、具体的な構成や数字を用いて説明したが、本発明は、上述した各実施形態の具体的な構成や数字に限定されるものではなく、特許請求の範囲に記載した内容を逸脱しない範囲で考えられる各種の変形例を含むことができる。
【符号の説明】
【００４４】
１  炊飯器
１０  炊飯器本体
１１  蓋体
１２  胴体
１４  上パネル
１６  開放操作部材
１７  蒸気排出口
１９  操作パネル部
２２  底体
３０  ハンドル
４０  排気部
４１  底壁
４２  吸気部
４３，４４  底壁開口（開口）
４６  脚部
４９，５２  隙間開口（開口）
５０，５１  導風部
５３，５８  連結部
５４，５６  板状部
５７  コード取出口
５９  ボス
６０，６１  リブ
７０，７１  排気空間
【図１】
0006359481.tif 000002
【図２】
0006359481.tif 000003
【図３】
0006359481.tif 000004
【図４】
0006359481.tif 000005
【図５】
0006359481.tif 000006
【図６】
0006359481.tif 000007
【図７】
0006359481.tif 000008
【図８】
0006359481.tif 000009
【図９】
0006359481.tif 000010
【図１０】
0006359481.tif 000011